(57)【要約】      （修正有）【課題】スティック状包装品用トレーにおけるスティック状包装品の整列状態を確実に維持可能なスティック状包装品用トレーを提供する。【解決手段】スティック状包装品用トレー１であって、スティック状包装品が載置される底板部６と、底板部の前後の端部に設けられた第１土手部７と第２土手部８と、底板部の左右の側部に設けられ、直立状に折り曲げられた左側部９と右側部１０と、左側部と右側部が底板部に対し折り曲げられることを容易にする折り曲げ用弱体部１１とを備える。第１土手部７はその左右の各々の端部に第１凸凹部１５を有し、第２土手部はその左右の各々の端部に第２凸凹部１７を有し、左側部と右側部は、直立状に折り曲げられたときに解除可能に第１凸凹部に嵌合する第１凹凸部１６を各々の前端部に有するとともに、直立状に折り曲げられたときに解除可能に第２凸凹部に嵌合する第２凹凸部１８を各々の後端部に有する。【選択図】図２
0003196778.tif 000002
【実用新案登録請求の範囲】
【請求項１】
複数のスティック状包装品を陳列可能に収納するスティック状包装品用トレーであって、
スティック状包装品が整列されて載置される底板部と、
前記底板部の前後の端部に設けられた第１土手部と第２土手部と、
前記底板部の左右の側部に設けられ、前記底板部に対し直立状に折り曲げられて前記底板部に載置されたスティック状包装品を保持する左側部と右側部と、
前記左側部と前記右側部が前記底板部に対し折り曲げられることを容易にする折り曲げ用弱体部と
を備え、
前記第１土手部はその左右の各々の端部に第１凸凹部を有し、前記第２土手部はその左右の各々の端部に第２凸凹部を有し、
前記左側部と前記右側部は、直立状に折り曲げられたときに解除可能に前記第１凸凹部に嵌合する第１凹凸部を各々の前端部に有するとともに、直立状に折り曲げられたときに解除可能に前記第２凸凹部に嵌合する第２凹凸部を各々の後端部に有する
ことを特徴とするスティック状包装品用トレー。
【請求項２】
前記底板部と前記第１土手部と前記第２土手部と前記左側部と前記右側部とは、合成樹脂によって一体的に成形されている
ことを特徴とする請求項１に記載のスティック状包装品用トレー。
【請求項３】
前記第１凸凹部と前記第１凹凸部とは、前記左側部または前記右側部が直立状に折り曲げられたときにブロック状に形成された第１凸部がブロック状に形成された第１凹部に嵌め込み合うように形成されており、
前記第２凸凹部と前記第２凹凸部とは、前記左側部または前記右側部が直立状に折り曲げられたときに前記左側部または前記右側部が外方へ開かないように、一方の先端部に形成された鉤部が他方の壁部に掛け留められるように形成されている
ことを特徴とする請求項１乃至２のいずれか一項に記載のスティック状包装品用トレー。
【請求項４】
前記折り曲げ用弱体部はミシン目である
ことを特徴とする請求項１乃至３のいずれか一項に記載のスティック状包装品用トレー。
【考案の詳細な説明】
【技術分野】
【０００１】
本考案はスティック状包装品用トレーに係り、特に、複数の個包装されたスティック状包装品を陳列及び搬送可能に配列するスティック状包装品用トレーに関する。
【背景技術】
【０００２】
インスタントコーヒーや粉砂糖等の粉末状あるいはペースト状の食品を細長い棒状（スティック状）の容器に個包装したスティック状包装品が知られている。スティック状包装品は、その複数個が組みを構成して、見栄えや商品的価値を向上させるために、スティック状包装品用トレーに陳列及び搬送可能に配列される。
【０００３】
複数個のスティック状包装品が配列されたスティック状包装品用トレーは、製品の納入あるいは販売後の包装のために輸送される場合には、外箱に詰められ外蓋を被せて扱われる。また、店頭において陳列する場合には、外箱に詰められ外蓋を被せられたスティック状包装品用トレーは、外蓋を開けてひっくり返し外蓋を外箱の底部に重ね、スティック状包装品用トレーに配列された複数個のスティック状包装品が見えるように陳列される。
【０００４】
スティック状包装品用トレーとしては、商品の価値を損なわないように、出荷後も配列されたスティック状包装品の整列状態が維持される必要があり、スティック状包装品が動きずれることを防止するずれ防止機能があることが求められる。
【０００５】
ずれ防止機能の一例としては、紙器を用いる場合にはスリットを設けた紙仕切りを組み立てて、そのスリットにスティック状包装品の両端部を差し込んだ後に化粧箱に詰めて包装することが行われている。しかしながら、この場合には、紙仕切りの組み立てとスティック状包装品の両端部を差し込みという煩雑な作業が必要であるとともに熟練度と作業時間とを要するという問題がある。
【０００６】
これに対して、特許文献１に示す合成樹脂成形品のスティック状包装品用トレーが知られている。特許文献１に示すスティック状包装品用トレーにおいては、底板の左右両縁の折り曲げヒンジを介して側板を直立させ、側板に形成された膨出部によってスティック状包装品を保持するようにしている。
【先行技術文献】
【特許文献】
【０００７】
【特許文献１】実公平２−１１３００号公報
【考案の開示】
【考案が解決しようとする課題】
【０００８】
しかしながら、特許文献１に示すスティック状包装品用トレーにおいては、側板を直立させたときに側板が底板に確実に留められて保持されていないために側板が衝撃等を受ける等して外側に開き、整列されたスティック状包装品がずれてしまい、スティック状包装品の整列状態が維持できないことが生じるという問題があった。
【０００９】
そこで、本願考案の目的は、上記の従来技術の問題を解消し、スティック状包装品用トレーにおけるスティック状包装品の整列状態を確実に維持可能なスティック状包装品用トレーを提供することである。
【課題を解決するための手段】
【００１０】
上記目的を達成するために、本願考案にかかるスティック状包装品用トレーは、複数のスティック状包装品を陳列可能に収納するスティック状包装品用トレーであって、スティック状包装品が整列されて載置される底板部と、前記底板部の前後の端部に設けられた第１土手部と第２土手部と、記底板部の左右の側部に設けられ、前記底板部に対し直立状に折り曲げられて前記底板部に載置されたスティック状包装品を保持する左側部と右側部と、前記左側部と前記右側部が前記底板部に対し折り曲げられることを容易にする折り曲げ用弱体部とを備え、前記第１土手部はその左右の各々の端部に第１凸凹部を有し、前記第２土手部はその左右の各々の端部に第２凸凹部を有し、前記左側部と前記右側部は、直立状に折り曲げられたときに解除可能に前記第１凸凹部に嵌合する第１凹凸部を各々の前端部に有するとともに、直立状に折り曲げられたときに解除可能に前記第２凸凹部に嵌合する第２凹凸部を各々の後端部に有することを特徴とする。
【００１１】
また、前記底板部と前記第１土手部と前記第２土手部と前記左側部と前記右側部とは、合成樹脂によって一体的に成形されていることを特徴とする。
【００１２】
また、前記第１凸凹部と前記第１凹凸部とは、前記左側部または前記右側部が直立状に折り曲げられたときにブロック状に形成された第１凸部がブロック状に形成された第１凹部に嵌め込み合うように形成されており、前記第２凸凹部と前記第２凹凸部とは、前記左側部または前記右側部が直立状に折り曲げられたときに前記左側部または前記右側部が外方へ開かないように、一方の先端部に形成された鉤部が他方の壁部に掛け留められるように形成されていることを特徴とする。
【００１３】
また、前記折り曲げ用弱体部はミシン目であることを特徴とする。
【考案の効果】
【００１４】
本願考案の構成によれば、第１土手部はその左右の各々の端部に第１凸凹部を有し、第２土手部はその左右の各々の端部に第２凸凹部を有し、左側部と右側部は、直立状に折り曲げられたときに解除可能に第１凸凹部に嵌合する第１凹凸部を各々の前端部に有するとともに、直立状に折り曲げられたときに解除可能に第２凸凹部に嵌合する第２凹凸部を各々の後端部に有するので、スティック状包装品用トレーにおけるスティック状包装品の整列状態を確実に維持可能であり、また簡易にスティック状包装品の詰め込み作業が可能なスティック状包装品用トレーを提供することができる。
【図面の簡単な説明】
【００１５】
【図１】本願考案の一実施の形態に係るスティック状包装品用トレーの組み立てた状態を示す斜視図。
【図２】図１に対応する展開した状態を示す斜視図。
【図３】図１に対応する平面図。
【図４】図２に対応する平面図。
【図５】図１のＡ部を拡大して示す斜視図。
【図６】図１のＣ部を拡大して示す斜視図。
【図７】図２のＢ部を拡大して示す斜視図。
【図８】図２のＤ部を拡大して示す斜視図。
【図９】外蓋を開け外箱に収納されたスティック状包装品用トレーを陳列することを示す図。
【考案を実施するための最良の形態】
【００１６】
以下に図面を参照して、本願考案に係るスティック状包装品用トレー１の実施の形態について説明する。  
スティック状包装品用トレー１は、複数のスティック状包装品２を陳列可能に配列して収納するものである。スティック状包装品２は、インスタントコーヒーや粉砂糖等の粉末状あるいはペースト状の食品を細長い棒状すなわちスティック状の容器、例えば袋や小箱等に個包装されたものである。
【００１７】
図１は、スティック状包装品２が収納されたスティック状包装品用トレー１を示す。図１には、簡単のために１個のスティック状包装品２のみが記載されている。スティック状包装品用トレー１は、スティック状包装品２の長手方向の長さとほぼ同等の左右の横幅と配列して配列するスティック状包装品２の個数、例えば１５個に応じた前後方向の縦幅とを有する。
【００１８】
図９に示すように、複数のスティック状包装品２が収納されたスティック状包装品用トレー１は、１個あるいは複数個の組、例えば３個の組として、外蓋４付きの外箱３に収納される。外箱３に収納されたスティック状包装品用トレー１は、製品の納入のために搬送されたり購入者に渡される場合には、外蓋４を外箱３に被せる。また、店頭において陳列する場合には、外蓋４を開けてひっくり返し外蓋４を外箱３の底部に重ね、スティック状包装品用トレー１に配列された複数個のスティック状包装品２が見えるように陳列される。
【００１９】
スティック状包装品用トレー１は合成樹脂製品であり、樹脂材を用いてモールド成形により一体的に作られる。
【００２０】
次に、スティック状包装品用トレー１について具体的に説明する。  
スティック状包装品用トレー１は、スティック状包装品２が整列されて載置される底板部６と、底板部６の前後の端部に盛り上がって形成された第１土手部７と第２土手部８と、左右の側部に設けら底板部３対し直立状に折り曲げ可能な左側部９と右側部１０と、左側部９と右側部１０が底板部６対し折り曲げられることを容易にするミシン目からなる折り曲げ用弱体部１１とを備えている。
【００２１】
底板部６には、スティック状包装品２を個々に載置するための複数の載置部１２が形成されている。載置部１２はスティック状包装品２を傾斜して立て掛けて載置することが可能なように形成されている。載置部１２の中央部は低く形成され、載置部１２の左右の両端部は高く形成され断面がほぼ直角三角形状であってスティック状包装品２の両端部が傾斜して立て掛けられる立て掛け部１２ａが設けられている。
【００２２】
左側部９と右側部１０の各々は載置部１２の立て掛け部１２ａよりも高い高さを有し、その内側には、波状に形成された複数の波状部９ａ、１０ａが形成されている。図１に示すように、左側部９と右側部１０が折り曲げ用弱体部１１を介して折り曲げられ底板部６に対して直立されたときに、載置部１２の立て掛け部１２ａによって傾斜して立て掛けられたスティック状包装品２の両端部の各々は、波状部９ａ、１０ａに上方から係合されるとともに波状部９ａ、１０ａの下部の空間部に入り込み、保持されるようになっている。これによって、スティック状包装品２の端部は、上方から波状部９ａ、１０ａによって保持されるとともに左右から左側部９と右側部１０によって保持されることになるので、スティック状包装品２は載置部１２に安定して位置することができ、たとえスティック状包装品用トレー１が裏表が逆さの姿勢になったとしてもスティック状包装品２がスティック状包装品用トレー１から離れて配列くずれが生じないようにすることができる。
【００２３】
次に、左側部９と右側部１０が折り曲げ用弱体部１１を介して折り曲げられ底板部６に対して直立されたときに、この状態が安定して維持されるための機構について説明する。
【００２４】
図５は図１のＡ部を拡大して示す斜視図であり、図６は図１のＣ部を拡大して示す斜視図であり、図７は図２のＢ部を拡大して示す斜視図であり、図８は図２のＤ部を拡大して示す斜視図である。
【００２５】
図５及び図７に示すように、第１土手部７の左右の各々の端部には、第１凸部としての第１凸凹部１５が設けられており、左側部９と右側部１０の左右の各々の前側端部には、ブロック状の空状に形成された第１凹部としての第１凹凸部１６が設けられている。左側部９と右側部１０が直立状に折り曲げられたときに解除可能に第１凸凹部１５が第１凹凸部１６に嵌め込まれる。第１凸凹部１５の下部には凹部１５ａが形成され、第１凹凸部１６には、第１凸凹部１５の凹部１５ａに対応する位置に凸部１６ａが形成されている。第１凸凹部１５と第１凹凸部１６とが全体として嵌め込み合うことに加えて、凹部１５ａと凸部１６ａとが嵌め込み合うことによって、第１凸凹部１５と第１凹凸部１６とは安定に嵌合した状態を維持することができる。
【００２６】
また、スティック状包装品用トレーは薄い樹脂材で形成されているので、左側部９と右側部１０等を必要に応じて変形させて第１凸凹部１５と第１凹凸部１６を容易に嵌合させることができる。
【００２７】
なお、１凹凸部１６の代わりに第１凸凹部１５をブロック状の空状に形成された第１凹部として凹状に形成し、第１凸凹部１５の代わりに第１凹凸部１６を第１凸部として凸状に形成することも可能である。
【００２８】
図６及び図８に示すように、第２土手部８の左右の各々の端部には、第２凸凹部１７が設けられており、左側部９と右側部１０の左右の各々の後側端部には、第２凹凸部１８が設けられている。左側部９と右側部１０が直立状に折り曲げられたときに解除可能に第２凸凹部１７に第２凹凸部１８が嵌め込まれる。
【００２９】
なお、第２土手部８に第２凸凹部１７の代わりに第２凹凸部１８を形成し、左側部９と右側部１０に第２凹凸部１８の代わりに第２凸凹部１７を形成することも可能である。
【００３０】
第２凸凹部１７と第２凹凸部１８とは、左側部９または右側部１０が直立状に折り曲げられたときに左側部９または右側部１０が外方へ開かないように、第２凹凸部１８の先端部に鉤部１８ａが形成され、第２凸凹部１７の壁部１７ａに掛け留められるように形成されている。
【００３１】
このように、第２凸凹部１７と第２凹凸部１８とが嵌合することによって、左側部９及び右側部１０が直立状に折り曲げられた状態を安定して維持することができる。
【００３２】
また、第２凹凸部１８の鉤部１８ａが第第２凸凹部１７の壁部１７ａに掛け留められることによって左側部９及び右側部１０が外方へ不本意に安易に開かないようにすることができる。
【００３３】
以上説明したように、本実施の形態によれば、第１土手部７に第１凸凹部１５を設け、左側部９と右側部１０の前方部に直立状に折り曲げたときに第１凸凹部１５に解除可能に嵌合可能な第１凹凸部１６を設け、また、第２土手部８に第２凸凹部１７を設け、左側部９と右側部１０の後方部に直立状に折り曲げたときに第２凸凹部１７に解除可能に嵌合可能な第２凹凸部１８を設けたので、左側部９と右側部１０を直立状に起立させたときに、第１凸凹部１５と第１凹凸部１６とを嵌合させるとともに、第２凸凹部１７と第２凹凸部１８とを嵌合させることができるので、第１土手部７及び第２土手部８に底板部６に対して左側部９と右側部１０を直立状に起立した状態を安定して維持することができる。
【００３４】
この結果、外箱３にスティック状包装品用トレー１が納められ外蓋４をして搬送されるときにおいても、また、外蓋４を外箱３の底部に重ねスティック状包装品用トレー１に配列されたスティック状包装品２を陳列するときにおいても、スティック状包装品２が移動しないようにしてスティック状包装品用トレー１の載置することができる。
【００３５】
また、スティック状包装品２を載置部１２に載置し、左側部９と右側部１０を直立状に起立させるだけで、第１土手部７と第１凸凹部１５が嵌合し第２凸凹部１７と第２凹凸部１８が嵌合するので、作業者の熟練度を要することなく、スティック状包装品用トレー１にスティック状包装品２を納めることができる。
【００３６】
また、第１凸凹部１５は第１土手部７の左右の各々の端部に設けられ、第２凸凹部１６は第２土手部８の左右の各々の端部に設けられ、第１凹凸部１７は左側部９と右側部１０の前端部に設けられ、第２凹凸部１８は左側部９と右側部１０の後端部に設けられているので、陳列されるスティック状包装品２を隠すことなく、スティック状包装品２が移動しないようにしてスティック状包装品用トレー１の載置することができる。
【００３７】
なお、上述の例では、折り曲げ用弱体部11としてミシン目を示したが、他の者、例えば化学的に曲げやすく処理したもの等であってもよい。
【符号の説明】
【００３８】
１  スティック状包装品用トレー
２  スティック状包装品
３  外箱
４  外蓋
６  底板部
７  第１土手部
８  第２土手部
９  左側部
１０  右側部
９ａ、１０ａ  波状部
１１  折り曲げ用弱体部
１２  載置部
１２ａ  立て掛け部
１５  第１凸凹部
１５ａ  凹部１５
１６  第１凹凸部
１６ａ  凸部
１７  第２凸凹部
１７ａ  壁部
１８  第２凹凸部
１８ａ  鉤部
【図１】
0003196778.tif 000003
【図２】
0003196778.tif 000004
【図３】
0003196778.tif 000005
【図４】
0003196778.tif 000006
【図５】
0003196778.tif 000007
【図６】
0003196778.tif 000008
【図７】
0003196778.tif 000009
【図８】
0003196778.tif 000010
【図９】
0003196778.tif 000011